(57)【要約】【課題】酸化触媒の高温化によるＮＯｘの発生を抑えることのできる内燃機関の排気浄化装置を提供する。【解決手段】エンジン１には、アンモニア由来の尿素水を排気通路２６内に添加する尿素水供給機構２００と、尿素水の添加により排気を浄化するＳＣＲ触媒４１と、排気通路２６においてＳＣＲ触媒４１よりも下流側に設けられたアンモニア酸化触媒５１と、尿素水供給機構２００による尿素水の添加量を制御する制御装置８０とが設けられている。制御装置８０は、アンモニア酸化触媒５１の温度が所定温度以上の状態のときには、アンモニア酸化触媒５１の温度が所定温度未満の状態のときに比べて、尿素水の添加量を減少させる添加量減量処理を行う。【選択図】図１
2015071994.tif 000002
【特許請求の範囲】
【請求項１】
アンモニア由来の還元剤を排気通路内に添加する還元剤供給機構と、
前記還元剤の添加により排気を浄化する還元触媒と、
排気通路において前記還元触媒よりも下流側に設けられた酸化触媒と、
前記還元剤供給機構による前記還元剤の添加量を制御する制御部と、を備える内燃機関の排気浄化装置において、
前記制御部は、前記酸化触媒が所定温度以上の状態のときには、前記酸化触媒が前記所定温度未満の状態のときに比べて、前記還元剤の添加量を減少させる添加量減量処理を行う
ことを特徴とする内燃機関の排気浄化装置。
【請求項２】
前記排気通路において前記還元触媒の上流側には、排気中の微粒子物質を捕集するフィルタが設けられており、
前記制御部は、排気を昇温させて前記フィルタを再生する再生処理の実行中に前記添加量減量処理を行う
請求項１に記載の内燃機関の排気浄化装置。
【請求項３】
前記制御部は、前記添加量減量処理として、前記添加量の減量補正を行い、排気温度が高いときほど前記添加量の減量補正量を大きくする
請求項１または２に記載の内燃機関の排気浄化装置。
【請求項４】
前記制御部は、前記添加量減量処理として、前記添加量の減量補正を行い、前記還元触媒に吸着されたアンモニア量が多いときほど前記添加量の減量補正量を大きくする
請求項１〜３のいずれか１項に記載の内燃機関の排気浄化装置。
【請求項５】
前記還元剤供給機構は、前記還元剤の添加及び添加休止を所定の添加周期で繰り返すことにより前記還元剤を間欠添加するとともに、
前記制御部は、前記添加量減量処理として、排気温度が高いときほど前記添加周期を長くする
請求項１または２に記載の内燃機関の排気浄化装置。
【請求項６】
前記還元剤供給機構は、前記還元剤の添加及び添加休止を所定の添加周期で繰り返すことにより前記還元剤を間欠添加するとともに、
前記制御部は、前記添加量減量処理として、前記還元触媒に吸着されたアンモニア量が多いときほど前記添加周期を長くする
請求項１、２、５のいずれか１項に記載の内燃機関の排気浄化装置。
【請求項７】
前記制御部は、前記添加量減量処理として、前記酸化触媒が前記所定温度以上の状態になっている間は前記還元剤の添加を禁止する
請求項１または２に記載の内燃機関の排気浄化装置。
【請求項８】
前記制御部は、前記添加量減量処理として、前記還元剤の添加期間中に前記還元剤の添加を禁止する禁止期間を設ける
請求項１または２に記載の内燃機関の排気浄化装置。
【発明の詳細な説明】
【技術分野】
【０００１】
本発明は、内燃機関の排気浄化装置に関するものである。
【背景技術】
【０００２】
例えば特許文献１に記載されているように、アンモニア由来の還元剤を排気通路内に添加する還元剤供給機構と、還元剤の添加により排気を浄化する還元触媒と、排気の流れ方向において還元触媒よりも下流側に設けられた酸化触媒とを備える排気浄化装置が知られている。
【０００３】
排気通路内に添加されたアンモニア由来の還元剤（例えば尿素水など）は、排気熱による加水分解によってアンモニアになる。このアンモニアは還元触媒に吸着され、その吸着されたアンモニアにより排気中のＮＯｘが還元浄化される。また、還元触媒をすり抜けたアンモニアや同還元触媒から脱離したアンモニアは、酸化触媒によって酸化されることにより、大気中へのアンモニア放出が抑えられる。
【先行技術文献】
【特許文献】
【０００４】
【特許文献１】特開２００８−１１５７７５号公報
【発明の概要】
【発明が解決しようとする課題】
【０００５】
ところで、排気浄化装置を備える内燃機関では、排気を昇温させる処理を行うことがあり、こうした昇温処理が実行されると酸化触媒は高温化する。酸化触媒が高温化すると、場合によっては、その酸化触媒上でアンモニアの酸化反応が起きてＮＯｘが発生してしまうおそれがある。
【０００６】
この発明は、こうした実情に鑑みてなされたものであり、その目的は、酸化触媒の高温化によるＮＯｘの発生を抑えることのできる内燃機関の排気浄化装置を提供することにある。
【課題を解決するための手段】
【０００７】
上記課題を解決する内燃機関の排気浄化装置は、排気通路内にアンモニア由来の還元剤を添加する還元剤供給機構と、還元剤の添加により排気を浄化する還元触媒と、排気通路において還元触媒よりも下流側に設けられた酸化触媒と、還元剤供給機構による還元剤の添加量を制御する制御部とを備えている。そして、制御部は、酸化触媒が所定温度以上の状態のときには、酸化触媒が同所定温度未満の状態のときに比べて、還元剤の添加量を減少させる添加量減量処理を行うようにしている。
【０００８】
同構成によれば、酸化触媒が所定温度以上の状態であって、酸化触媒上でＮＯｘが発生するおそれがあるときには、ＮＯｘを発生させる原因の１つである、アンモニア由来の還元剤の添加量が減少される。こうした添加量の減少により、還元触媒に吸着されたアンモニアの脱離量や、還元触媒をすり抜けるアンモニアの量が少なくなるため、酸化触媒に達するアンモニアの量が減少するようになる。従って、高温化した酸化触媒上でのアンモニアの酸化に起因したＮＯｘの発生を抑えることができる。なお、同構成における上記所定温度としては、酸化触媒上でのアンモニアの酸化反応によってＮＯｘが発生するか否かを適切に判定することができる温度を設定することが望ましい。
【０００９】
また、排気通路において還元触媒の上流側には、排気中の微粒子物質を捕集するフィルタが設けられており、排気を昇温させることによりフィルタを再生する再生処理が実行されているときには、高温の排気によって酸化触媒の温度が高くなる。そのため、同酸化触媒上ではアンモニアの酸化に起因したＮＯｘが発生しやすくなる。そこで、上記制御部は、再生処理の実行中に上述した添加量減量処理を行うことが好ましい。
【００１０】
同構成によれば、フィルタの再生処理によって酸化触媒が所定温度以上に高温化した場合でも、その酸化触媒の高温化によるＮＯｘの発生を抑えることができる。
また、上記排気浄化装置において、制御部は、添加量減量処理として、還元剤添加量の減量補正を行い、排気温度が高いときほど還元剤添加量の減量補正量を大きくすることが好ましい。
【００１１】
同構成によれば、排気温度が高いときほど、つまり酸化触媒上でのアンモニアの酸化反応が促進されてＮＯｘが発生しやすいときほど、還元剤の添加量は少なくされることにより、酸化触媒に達するアンモニアの量は少なくなる。従って、排気温度が変化してもＮＯｘの発生を好適に抑えることができるようになる。
【００１２】
また、上記排気浄化装置において、制御部は、添加量減量処理として、還元剤添加量の減量補正を行い、還元触媒に吸着されたアンモニア量が多いときほど還元剤添加量の減量補正量を大きくすることが好ましい。
【００１３】
同構成によれば、還元触媒に吸着されたアンモニア量が多いときほど、つまり還元触媒から脱離するアンモニアの量も多くなるときほど、還元剤の添加量は少なくされることにより、酸化触媒に達するアンモニアの量は少なくなる。従って、還元触媒に吸着されたアンモニア量が変化してもＮＯｘの発生を好適に抑えることができるようになる。
【００１４】
また、上記排気浄化装置において、還元剤供給機構は、還元剤の添加及び添加休止を所定の添加周期にて繰り返すことにより還元剤を間欠添加する場合、制御部は、添加量減量処理として、排気温度が高いときほど添加周期を長くすることが好ましい。
【００１５】
同構成によれば、排気温度が高いときほど、つまり酸化触媒上でのアンモニアの酸化反応が促進されてＮＯｘが発生しやすいときほど、間欠添加時の添加周期が長くされることにより、所定期間内における還元剤の添加回数は減少する。このようにして還元剤の添加回数が減少すると、所定期間内における還元剤の総添加量が減少するため、酸化触媒に達するアンモニアの量は少なくなる。従って、排気温度が変化してもＮＯｘの発生を好適に抑えることができるようになる。
【００１６】
また、上記排気浄化装置において、還元剤供給機構は、還元剤の添加及び添加休止を所定の添加周期にて繰り返すことにより還元剤を間欠添加する場合、制御部は、添加量減量処理として、還元触媒に吸着されたアンモニア量が多いときほど添加周期を長くすることが好ましい。
【００１７】
同構成によれば、還元触媒に吸着されたアンモニア量が多いときほど、つまり還元触媒から脱離するアンモニアの量も多くなるときほど、間欠添加時の添加周期が長くされることにより、所定期間内における還元剤の添加回数は減少する。このようにして還元剤の添加回数が減少すると、所定期間内における還元剤の総添加量が減少するため、酸化触媒に達するアンモニアの量は少なくなる。従って、還元触媒に吸着されたアンモニア量が変化してもＮＯｘの発生を好適に抑えることができるようになる。
【００１８】
また、上記排気浄化装置において、制御部は、添加量減量処理として、酸化触媒が上述した所定温度以上の状態になっている間は還元剤の添加を禁止することが好ましい。
同構成によれば、酸化触媒が所定温度以上の状態であって、酸化触媒上でＮＯｘが発生するおそれがあるときには、還元剤の添加が禁止される。こうした還元剤の添加禁止によって、酸化触媒に達するアンモニアの量は十分に減少するようになる。従って、高温化した酸化触媒上でのアンモニアの酸化に起因したＮＯｘの発生をより適切に抑えることができる。
【００１９】
また、上記排気浄化装置において、制御部は、添加量減量処理として、還元剤の添加期間中に還元剤の添加を禁止する禁止期間を設けることが好ましい。
同構成によれば、還元剤の添加期間中に、還元剤の添加を禁止する禁止期間が設けられる。そのため、そうした禁止期間が設けられない場合と比較して、添加期間中での還元剤の総添加量は減少するようになり、酸化触媒に達するアンモニアの量は減少するようになる。従って、高温化した酸化触媒上でのアンモニアの酸化に起因したＮＯｘの発生を抑えることができる。
【図面の簡単な説明】
【００２０】
【図１】内燃機関の排気浄化装置の第１実施形態について、これが適用される内燃機関及びその周辺構成を示す概略図。
【図２】同実施形態での尿素水の添加態様を示すタイムチャート。
【図３】同実施形態での添加量減量処理についてその手順を示すフローチャート。
【図４】同実施形態において第２排気温度と第１尿素補正量との関係を示す表。
【図５】同実施形態においてアンモニア吸着量と第２尿素補正量との関係を示す表。
【図６】第２実施形態における尿素水の添加態様を示すタイムチャートであって、（Ａ）は、添加インターバルを補正する前の添加態様を示すタイムチャート。（Ｂ）は、添加インターバルを補正した後の添加態様を示すタイムチャート。
【図７】同実施形態での添加量減量処理についてその手順を示すフローチャート。
【図８】同実施形態において第２排気温度と第１インターバル補正量との関係を示す表。
【図９】同実施形態においてアンモニア吸着量と第２インターバル補正量との関係を示す表。
【図１０】第１実施形態の変形例における添加量減量処理の手順を示すフローチャート。
【図１１】第１実施形態の変形例における尿素水の添加態様を示すタイムチャート。
【発明を実施するための形態】
【００２１】
（第１実施形態）
以下、内燃機関の排気浄化装置を具体化した第１実施形態について、図１〜図５を参照して説明する。
【００２２】
図１に、排気浄化装置が適用された内燃機関であるディーゼルエンジン（以下、単に「エンジン」という）や、このエンジン１に設けられた排気浄化装置の構成を示す。
エンジン１には複数の気筒＃１〜＃４が設けられている。シリンダヘッド２には複数の燃料噴射弁４ａ〜４ｄが各気筒＃１〜＃４に対応して取り付けられている。これら燃料噴射弁４ａ〜４ｄは各気筒＃１〜＃４の燃焼室に燃料を噴射する。また、シリンダヘッド２には新気を気筒内に導入するための吸気ポートと、燃焼ガスを気筒外へ排出するための排気ポート６ａ〜６ｄとが各気筒＃１〜＃４に対応して設けられている。
【００２３】
燃料噴射弁４ａ〜４ｄは、高圧燃料を蓄圧するコモンレール９に接続されている。コモンレール９はサプライポンプ１０に接続されている。サプライポンプ１０は燃料タンク内の燃料を吸入するとともにコモンレール９に高圧燃料を供給する。コモンレール９に供給された高圧燃料は、各燃料噴射弁４ａ〜４ｄの開弁時に同燃料噴射弁４ａ〜４ｄから気筒内に噴射される。
【００２４】
吸気ポートにはインテークマニホールド７が接続されている。インテークマニホールド７は吸気通路３に接続されている。この吸気通路３内には吸入空気量を調整するための吸気絞り弁１６が設けられている。
【００２５】
排気ポート６ａ〜６ｄにはエキゾーストマニホールド８が接続されている。エキゾーストマニホールド８は排気通路２６に接続されている。
排気通路２６の途中には、排気圧を利用して気筒に導入される吸入空気を過給するターボチャージャ１１が設けられている。同ターボチャージャ１１の吸気側コンプレッサと吸気絞り弁１６との間の吸気通路３にはインタークーラ１８が設けられている。このインタークーラ１８によって、ターボチャージャ１１の過給により温度上昇した吸入空気の冷却が図られる。
【００２６】
また、排気通路２６の途中にあって、ターボチャージャ１１の排気側タービンの下流には、排気を浄化する第１浄化部材３０が設けられている。この第１浄化部材３０の内部には、排気の流れ方向に対して直列に酸化触媒３１及びフィルタ３２が配設されている。
【００２７】
酸化触媒３１には、排気中のＨＣを酸化処理する。また、フィルタ３２は、排気中のＰＭ（粒子状物質）を捕集するフィルタであって多孔質のセラミックで構成されており、さらにはＰＭの酸化を促進させるための触媒が担持されている。排気中のＰＭは、フィルタ３２の多孔質の壁を通過する際に捕集される。なお、このフィルタ３２は、上記排気浄化部材を構成している。
【００２８】
また、エキゾーストマニホールド８の集合部近傍には、酸化触媒３１やフィルタ３２に添加剤として燃料を供給するための燃料添加弁５が設けられている。この燃料添加弁５は、燃料供給管２７を介して前記サプライポンプ１０に接続されている。なお、燃料添加弁５の配設位置は、排気系にあって第１浄化部材３０の上流側であれば適宜変更するも可能である。また、燃料の噴射時期を調整してポスト噴射を行うことにより、酸化触媒３１やフィルタ３２に添加剤として燃料を供給してもよい。
【００２９】
フィルタ３２に捕集されたＰＭの量が所定値を超えると、フィルタ３２の再生処理が開始されて燃料添加弁５からはエキゾーストマニホールド８内に向けて燃料が噴射される。この燃料添加弁５から噴射された燃料は、酸化触媒３１に達すると燃焼され、これにより排気が昇温される。そして、酸化触媒３１にて昇温された排気がフィルタ３２に流入することにより、同フィルタ３２は昇温され、これによりフィルタ３２に堆積したＰＭが酸化処理されてフィルタ３２の再生が図られる。
【００３０】
また、排気通路２６の途中にあって、第１浄化部材３０の下流には、排気を浄化する第２浄化部材４０が設けられている。第２浄化部材４０の内部には、還元剤を利用して排気中のＮＯｘを還元浄化する還元触媒としての選択還元型ＮＯｘ触媒（以下、ＳＣＲ触媒という）４１が配設されている。
【００３１】
さらに、排気通路２６の途中にあって、第２浄化部材４０の下流には、排気を浄化する第３浄化部材５０が設けられている。第３浄化部材５０の内部には、排気中のアンモニアを浄化するアンモニア酸化触媒５１が配設されている。
【００３２】
エンジン１には、アンモニア由来の還元剤である尿素水を排気通路２６内に添加する還元剤供給機構としての尿素水供給機構２００が設けられている。尿素水供給機構２００は、尿素水を貯留するタンク２１０、排気通路２６内に尿素水を噴射供給する尿素添加弁２３０、尿素添加弁２３０とタンク２１０とを接続する供給通路２４０、供給通路２４０の途中に設けられたポンプ２２０にて構成されている。
【００３３】
尿素添加弁２３０は、第１浄化部材３０と第２浄化部材４０との間の排気通路２６に設けられており、その噴射孔はＳＣＲ触媒４１に向かって開口されている。この尿素添加弁２３０が開弁されると、供給通路２４０を介して排気通路２６内に尿素水が噴射供給される。
【００３４】
ポンプ２２０は電動式のポンプであり、正回転時には、タンク２１０から尿素添加弁２３０に向けて尿素水を送液する。一方、逆回転時には、尿素添加弁２３０からタンク２１０に向けて尿素水を送液する。つまり、ポンプ２２０の逆回転時には、尿素添加弁２３０及び供給通路２４０から尿素水が回収されてタンク２１０に戻される。
【００３５】
また、尿素添加弁２３０とＳＣＲ触媒４１との間の排気通路２６内には、尿素添加弁２３０から噴射された尿素水を分散させることにより同尿素水の霧化を促進する分散板６０が設けられている。
【００３６】
尿素添加弁２３０から噴射された尿素水は、排気の熱によって加水分解されてアンモニアとなる。このアンモニアがＮＯｘの還元剤としてＳＣＲ触媒４１に供給される。ＳＣＲ触媒４１に供給されたアンモニアは、同ＳＣＲ触媒４１に吸着されてＮＯｘの還元に利用される。
【００３７】
この他、エンジン１には排気再循環装置（以下、ＥＧＲ装置という）が備えられている。このＥＧＲ装置は、排気の一部を吸入空気に導入することで気筒内の燃焼温度を低下させ、ＮＯｘの発生量を低減させる装置である。このＥＧＲ装置は、吸気通路３とエキゾーストマニホールド８とを連通するＥＧＲ通路１３、同ＥＧＲ通路１３に設けられたＥＧＲ弁１５、及びＥＧＲクーラ１４等により構成されている。ＥＧＲ弁１５の開度が調整されることにより排気通路２６から吸気通路３に導入される排気還流量、いわゆる外部ＥＧＲ量が調量される。また、ＥＧＲクーラ１４によってＥＧＲ通路１３内を流れる排気の温度が低下される。
【００３８】
エンジン１には、機関運転状態を検出するための各種センサが取り付けられている。例えば、エアフロメータ１９は吸入空気量ＧＡを検出する。絞り弁開度センサ２０は吸気絞り弁１６の開度を検出する。機関回転速度センサ２１はクランクシャフトの回転速度、すなわち機関回転速度ＮＥを検出する。アクセルセンサ２２はアクセルペダルの踏み込み量、すなわちアクセル操作量ＡＣＣＰを検出する。外気温センサ２３は、外気温ＴＨｏｕｔを検出する。車速センサ２４はエンジン１が搭載された車両の車速ＳＰＤを検出する。また、エンジン１には、車両の運転者がエンジン１を始動させるときや停止させるときに操作するイグニッションスイッチ（以下、ＩＧスイッチという）２５も設けられており、このＩＧスイッチ２５の操作位置に応じて機関始動や機関停止が行われる。
【００３９】
また、酸化触媒３１の上流に設けられた第１排気温度センサ１００は、酸化触媒３１に流入する前の排気温度である第１排気温度ＴＨ１を検出する。差圧センサ１１０は、フィルタ３２の上流及び下流の排気圧の圧力差ΔＰを検出する。
【００４０】
第１浄化部材３０と第２浄化部材４０との間の排気通路２６にあって、尿素添加弁２３０の上流には、第２排気温度センサ１２０及び第１ＮＯｘセンサ１３０が設けられている。第２排気温度センサ１２０は、ＳＣＲ触媒４１に流入する前の排気温度である第２排気温度ＴＨ２を検出する。第１ＮＯｘセンサ１３０は、ＳＣＲ触媒４１に流入する前の排気中のＮＯｘ濃度である第１ＮＯｘ濃度Ｎ１を検出する。
【００４１】
第３浄化部材５０よりも下流の排気通路２６には、ＳＣＲ触媒４１で浄化された排気のＮＯｘ濃度である第２ＮＯｘ濃度Ｎ２を検出する第２ＮＯｘセンサ１４０が設けられている。
【００４２】
これら各種センサ等の出力は制御部としての制御装置８０に入力される。この制御装置８０は、中央処理制御装置（ＣＰＵ）、各種プログラムやマップ等を予め記憶した読出専用メモリ（ＲＯＭ）、ＣＰＵの演算結果等を一時記憶するランダムアクセスメモリ（ＲＡＭ）、タイマカウンタ、入力インターフェース、出力インターフェース等を備えたマイクロコンピュータを中心に構成されている。
【００４３】
そして、制御装置８０により、例えば燃料噴射弁４ａ〜４ｄや燃料添加弁５の燃料噴射量制御・燃料噴射時期制御、サプライポンプ１０の吐出圧力制御、吸気絞り弁１６を開閉するアクチュエータ１７の駆動量制御、ＥＧＲ弁１５の開度制御等、エンジン１の各種制御が行われる。
【００４４】
また、上記フィルタ３２に捕集されたＰＭを燃焼させる上記再生処理等といった各種の排気浄化制御も同制御装置８０によって行われる。
制御装置８０は、排気浄化制御の一つとして、上記尿素添加弁２３０による尿素水の添加制御を行う。
【００４５】
この添加制御では、エンジン１から排出されるＮＯｘを還元処理するために必要な尿素量が機関運転状態等に基づいて算出される。また、ＳＣＲ触媒４１に吸着されているアンモニア量を予め定められた量に維持するために必要な尿素量が算出される。なおＳＣＲ触媒４１のアンモニア吸着量ＮＨＲは、適宜の方法で推定される。例えば尿素添加量、排気温度、排気流量等といったアンモニアの吸着量に相関するパラメータに基づき、アンモニア吸着量ＮＨＲは推定される。
【００４６】
そして、ＮＯｘを還元処理するために必要な尿素量とアンモニア吸着量を維持するために必要な尿素量との和が尿素添加量ＱＥとして算出され、その尿素添加量ＱＥの尿素水が尿素添加弁２３０から噴射されるように、尿素添加弁２３０の駆動状態が制御される。
【００４７】
図２に示すように、本実施形態では、尿素水は間欠的に添加される。すなわち尿素添加弁２３０の開弁と閉弁とを所定の添加周期（以下、添加インターバルという）ＩＮＴで繰り返し行うことにより、尿素水の添加及び添加休止が所定の添加インターバルＩＮＴにて繰り返される。こうした尿素水の間欠添加により、排気通路２６内での尿素水の霧化が促進される。
【００４８】
ところで、ＳＣＲ触媒４１から脱離したアンモニアや、ＳＣＲ触媒４１をすり抜けたアンモニアは、アンモニア酸化触媒５１によって酸化されて窒素と水に変化する。これにより大気中へのアンモニア放出が抑えられる。しかし、排気の温度が上昇してアンモニア酸化触媒５１が高温化すると、場合によっては、アンモニア酸化触媒５１でのアンモニアの酸化によって、窒素及び水ではなく、ＮＯｘ及び水が生成されるおそれがある。
【００４９】
例えば上述したフィルタ３２の再生処理が行われると、排気の昇温処理が行われるため、アンモニア酸化触媒５１の温度は、再生処理が行われていない場合と比較して非常に高温化する。そのため、フィルタ３２の再生処理中は、アンモニア酸化触媒５１においてアンモニア由来のＮＯｘが発生するおそれがある。
【００５０】
ここで、ＳＣＲ触媒４１に吸着されたアンモニアの脱離量や、ＳＣＲ触媒４１をすり抜けるアンモニアの量は、尿素水の添加量を減少させることにより少なくなる傾向がある。
そこで、本実施形態では、尿素水の添加量を減少させる添加量減量処理を行って、アンモニア酸化触媒５１に達するアンモニアの量を少なくすることにより、高温状態のアンモニア酸化触媒５１におけるＮＯｘの発生を抑えるようにしている。
【００５１】
図３に、上記添加量減処理の手順を示す。なお、本処理は、制御装置８０によって実行される。
本処理が開始されるとまず、制御装置８０は、現在、フィルタ３２の再生処理中であるか否かを判定する（Ｓ１００）。
【００５２】
そして、再生処理中でないときには（Ｓ１００：ＮＯ）、制御装置８０は、第２排気温度ＴＨ２が判定温度α以上であるか否かを判定する（Ｓ１１０）。第２排気温度ＴＨ２は、アンモニア酸化触媒５１の温度の代用値として用いているが、他の部位の温度を代用値としてもよい。例えばフィルタ３２の温度を検出、あるいは推定している場合には、フィルタ３２の温度をアンモニア酸化触媒５１の温度の代用値としてもよい。また、アンモニア酸化触媒５１の温度をセンサ等で直接検出してもよい。そして判定温度αは、アンモニア酸化触媒５１上でＮＯｘが発生するおそれがあるか否かを判定するための値であって、第２排気温度ＴＨ２が判定温度α以上のときには、アンモニア酸化触媒５１の温度が所定温度以上の高温状態になっており、アンモニア酸化触媒５１上でＮＯｘが発生するおそれがあると判定される。
【００５３】
そして、第２排気温度ＴＨ２が判定温度α未満であるときには（Ｓ１１０：ＮＯ）、制御装置８０は、本処理を一旦終了する。
一方、フィルタ３２の再生処理中であるとき（Ｓ１００：ＹＥＳ）、あるいは第２排気温度ＴＨ２が判定温度α以上であるときには（Ｓ１１０：ＹＥＳ）、アンモニア酸化触媒５１が所定温度以上の高温状態になっており、アンモニア酸化触媒５１でＮＯｘが発生するおそれがあると判断されて、ステップＳ１２０以降の処理が行われる。
【００５４】
ステップＳ１２０では、制御装置８０は、第２排気温度ＴＨ２に基づいて第１尿素補正量ＱＥＨ１を設定する（Ｓ１２０）。第１尿素補正量ＱＥＨ１は、基本尿素添加量ＱＥＢを減量補正するための減量補正量であり、第２排気温度ＴＨ２に基づいて「０」以上の値が可変設定される。また、基本尿素添加量ＱＥＢは、上述した尿素添加量ＱＥのベース値であり、機関運転状態やアンモニア吸着量ＮＨＲ等に基づいて設定される。
【００５５】
図４に示すように、第１尿素補正量ＱＥＨ１は、第２排気温度ＴＨ２が高いときほど大きい値に設定される。
次に、制御装置８０は、アンモニア吸着量ＮＨＲに基づいて第２尿素補正量ＱＥＨ２を設定する（Ｓ１３０）。第２尿素補正量ＱＥＨ２も、基本尿素添加量ＱＥＢを減量補正するための減量補正量であり、アンモニア吸着量ＮＨＲに基づいて「０」以上の値が可変設定される。
【００５６】
図５に示すように、第２尿素補正量ＱＥＨ２は、アンモニア吸着量ＮＨＲが多いときほど大きい値に設定される。
次に、制御装置８０は、第１尿素補正量ＱＥＨ１及び第２尿素補正量ＱＥＨ２に基づいて基本尿素添加量ＱＥＢを補正することにより尿素添加量ＱＥを算出する（Ｓ１４０）。このステップＳ１４０では、次式（１）に示すように、基本尿素添加量ＱＥＢから第１尿素補正量ＱＥＨ１及び第２尿素補正量ＱＥＨ２を減じた値が尿素添加量ＱＥに設定される。
【００５７】
ＱＥ＝ＱＥＢ−ＱＥＨ１−ＱＥＨ２  …（１）
この式（１）から分かるように、第１尿素補正量ＱＥＨ１の値が大きいときほど尿素添加量ＱＥは少なくなる。また、第２尿素補正量ＱＥＨ２の値が大きいときほど尿素添加量ＱＥは少なくなる。
【００５８】
こうして尿素添加量ＱＥを算出すると、制御装置８０は、本処理を一旦終了する。
次に、上記添加量減量処理の作用を説明する。
第２排気温度ＴＨ２が判定温度α以上のときには（Ｓ１１０：ＹＥＳ）、第２排気温度ＴＨ２が判定温度α未満の場合（Ｓ１１０：ＮＯ）と異なり、ステップＳ１２０〜ステップＳ１４０の処理が行われることにより、基本尿素添加量ＱＥＢは減量補正されて尿素添加量ＱＥは減少する。このようにアンモニア酸化触媒５１の温度が所定温度以上の高温状態になっていると判断されるときには、アンモニア酸化触媒５１の温度が同所定温度未満の状態になっていると判断されるときに比べて尿素添加量は減少する。ＮＯｘを発生させる原因の１つである、アンモニア由来の尿素水の添加量が減少することにより、ＳＣＲ触媒４１に吸着されたアンモニアの脱離量や、ＳＣＲ触媒４１をすり抜けるアンモニアの量が少なくなるため、アンモニア酸化触媒５１に達するアンモニアの量は減少するようになる。従って、高温化したアンモニア酸化触媒５１上でのアンモニアの酸化に起因したＮＯｘの発生を抑えることができる。
【００５９】
また、フィルタ３２の再生処理中も（Ｓ１００：ＹＥＳ）、ステップＳ１２０〜ステップＳ１４０の処理が行われることにより、基本尿素添加量ＱＥＢは減量補正されて尿素添加量ＱＥは減少する。従って、フィルタ３２の再生処理によってアンモニア酸化触媒５１の温度が所定温度以上の高温状態になっていると判断できる場合にも、尿素水の添加量が減少することにより、アンモニア酸化触媒５１に達するアンモニアの量は減少するようになる。そのため、フィルタ３２の再生処理によるアンモニア酸化触媒５１の高温化に起因したＮＯｘの発生が抑えられる。
【００６０】
また、ステップＳ１４０では、基本尿素添加量ＱＥＢの減量補正を行うようにしている。そして、その減量補正のための第１尿素補正量ＱＥＨ１は、第２排気温度ＴＨ２が高いときほど大きくしている。従って、排気温度が高いときほど、つまりアンモニア酸化触媒５１上でのアンモニアの酸化反応が促進されてＮＯｘが発生しやすいときほど、尿素添加量ＱＥは少なくされることにより、アンモニア酸化触媒５１に達するアンモニアの量は少なくなる。そのため、排気温度が変化してもＮＯｘの発生は好適に抑えられる。
【００６１】
また、基本尿素添加量ＱＥＢの減量補正を行うための第２尿素補正量ＱＥＨ２は、ＳＣＲ触媒４１に吸着されたアンモニア量が多いときほど大きくしている。従って、ＳＣＲ触媒４１に吸着されたアンモニア量が多いときほど、つまりＳＣＲ触媒４１から脱離するアンモニアの量も多くなるときほど、尿素添加量ＱＥは少なくされることにより、アンモニア酸化触媒５１に達するアンモニアの量は少なくなる。そのため、ＳＣＲ触媒４１に吸着されたアンモニア量が変化してもＮＯｘの発生は好適に抑えられる。
【００６２】
以上説明したように、本実施形態によれば、以下の効果を得ることができる。
（１）アンモニア酸化触媒５１が所定温度以上の状態であると判断できるときには、アンモニア酸化触媒５１が同所定温度未満の状態であると判断できるときに比べて、尿素添加量を減少させる添加量減量処理を行うようにしている。従って、高温化したアンモニア酸化触媒５１上でのアンモニアの酸化に起因したＮＯｘの発生を抑えることができる。
【００６３】
（２）フィルタ３２の再生処理の実行中にも上述した添加量減量処理を行うようにしている。従って、フィルタ３２の再生処理によってアンモニア酸化触媒５１が所定温度以上に高温化する場合でも、アンモニア酸化触媒５１の高温化によるＮＯｘの発生を抑えることができる。
【００６４】
（３）添加量減量処理として、尿素添加量の減量補正を行うようにしている。そして、第２排気温度ＴＨ２が高いときほど、減量補正量である第１尿素補正量ＱＥＨ１を大きくするようにしている。従って、排気温度が変化してもＮＯｘの発生を好適に抑えることができるようになる。
【００６５】
（４）アンモニア吸着量ＮＨＲが多いときほど、減量補正量である第２尿素補正量ＱＥＨ２を大きくするようにしている。従って、ＳＣＲ触媒４１に吸着されたアンモニア量が変化してもＮＯｘの発生を好適に抑えることができるようになる。
【００６６】
（第２実施形態）
次に、内燃機関の排気浄化装置を具体化した第２実施形態について、図６〜図９を参照して説明する。
【００６７】
上記第１実施形態では、アンモニア酸化触媒５１が高温状態のときに、尿素水の添加量を減らすべく、基本尿素添加量ＱＥＢを減量補正するようにした。一方、本実施形態では、上述した添加インターバルＩＮＴを補正して長くすることで、所定期間内における還元剤の総添加量を減少させるようにしている。
【００６８】
図６に尿素水の添加態様を示す。なお、図６（Ａ）は、添加インターバルを補正する前の添加態様を示し、図６（Ｂ）は、添加インターバルを補正した後の添加態様を示す。この図６（Ｂ）に示すように、添加インターバルＩＮＴを補正して長くすると、所定期間内での尿素水の添加回数が減少する。例えば図６（Ａ）に示す状態では、ある所定期間内において尿素水が６回添加されている。一方、図６（Ｂ）に示す状態では、同じような所定期間内において尿素水が３回添加される。このようにして尿素水の添加回数が減少すると、所定期間内における尿素水の総添加量が減少する。従って、本実施形態でも、ＳＣＲ触媒４１に吸着されたアンモニアの脱離量や、ＳＣＲ触媒４１をすり抜けるアンモニアの量が少なくなり、アンモニア酸化触媒５１に達するアンモニアの量は減少するようになる。そのため、本実施形態でも高温化したアンモニア酸化触媒５１上でのアンモニアの酸化に起因したＮＯｘの発生を抑えることができる。
【００６９】
図７に、本実施形態における添加量減量処理の手順を示す。なお、本処理において、第１実施形態と同一の処理を行うステップについては、同じステップ番号を付している。
本処理が開始されるとまず、制御装置８０は、現在、フィルタ３２の再生処理中であるか否かを判定する（Ｓ１００）。
【００７０】
そして、再生処理中でないときには（Ｓ１００：ＮＯ）、制御装置８０は、第２排気温度ＴＨ２が判定温度α以上であるか否かを判定する（Ｓ１１０）。本実施形態でも、第２排気温度ＴＨ２は、アンモニア酸化触媒５１の温度の代用値として用いているが、他の部位の温度を代用値としてもよい。例えばフィルタ３２の温度を検出、あるいは推定している場合には、フィルタ３２の温度をアンモニア酸化触媒５１の温度の代用値としてもよい。また、アンモニア酸化触媒５１の温度をセンサ等で直接検出してもよい。そして判定温度αは、アンモニア酸化触媒５１上でＮＯｘが発生するおそれがあるか否かを判定するための値であって、第２排気温度ＴＨ２が判定温度α以上のときには、アンモニア酸化触媒５１の温度が所定温度以上の高温状態になっており、アンモニア酸化触媒５１上でＮＯｘが発生するおそれがあると判定される。
【００７１】
そして、第２排気温度ＴＨ２が判定温度α未満であるときには（Ｓ１１０：ＮＯ）、制御装置８０は、本処理を一旦終了する。
一方、フィルタ３２の再生処理中であるとき（Ｓ１００：ＹＥＳ）、あるいは第２排気温度ＴＨ２が判定温度α以上であるときには（Ｓ１１０：ＹＥＳ）、アンモニア酸化触媒５１が所定温度以上の高温状態になっており、アンモニア酸化触媒５１でＮＯｘが発生するおそれがあると判断されて、ステップＳ２００以降の処理が行われる。
【００７２】
ステップＳ１２０では、制御装置８０は、第２排気温度ＴＨ２に基づいて第１インターバル補正量ＩＮＴＨ１を設定する（Ｓ２００）。第１インターバル補正量ＩＮＴＨ１は、基本添加インターバルＩＮＴＢを補正するための補正量であり、第２排気温度ＴＨ２に基づいて「０」以上の値が可変設定される。また、基本添加インターバルＩＮＴＢは、上述した添加インターバルＩＮＴのベース値であり、機関運転状態等に基づいて適切な値が設定される。
【００７３】
図８に示すように、第１インターバル補正量ＩＮＴＨ１は、第２排気温度ＴＨ２が高いときほど長い時間が設定される。
次に、制御装置８０は、アンモニア吸着量ＮＨＲに基づいて第２インターバル補正量ＩＮＴＨ２を設定する（Ｓ２１０）。第２インターバル補正量ＩＮＴＨ２も、基本添加インターバルＩＮＴＢを補正するための補正量であり、アンモニア吸着量ＮＨＲに基づいて「０」以上の値が可変設定される。
【００７４】
図９に示すように、第２インターバル補正量ＩＮＴＨ２は、アンモニア吸着量ＮＨＲが多いときほど長い時間が設定される。
次に、制御装置８０は、第１インターバル補正量ＩＮＴＨ１及び第２インターバル補正量ＩＮＴＨ２に基づいて基本添加インターバルＩＮＴＢを補正することにより添加インターバルＩＮＴを算出する（Ｓ２２０）。このステップＳ２２０では、次式（２）に示すように、基本添加インターバルＩＮＴＢに第１インターバル補正量ＩＮＴＨ１及び第２インターバル補正量ＩＮＴＨ２を加算した値が添加インターバルＩＮＴに設定される。
【００７５】
ＩＮＴ＝ＩＮＴＢ＋ＩＮＴＨ１＋ＩＮＴＨ２  …（２）
この式（２）から分かるように、第１インターバル補正量ＩＮＴＨ１の値が長いときほど添加インターバルＩＮＴは長くなる。また、第２インターバル補正量ＩＮＴＨ２の値が長いときほど添加インターバルＩＮＴは長くなる。
【００７６】
こうして添加インターバルＩＮＴを算出すると、制御装置８０は、本処理を一旦終了する。
次に、上記添加量減量処理の作用を説明する。
【００７７】
第２排気温度ＴＨ２が判定温度α以上のときには（Ｓ１１０：ＹＥＳ）、第２排気温度ＴＨ２が判定温度α未満の場合（Ｓ１１０：ＮＯ）と異なり、ステップＳ２００〜ステップＳ２２０の処理が行われることにより、基本添加インターバルＩＮＴＢは補正されて添加インターバルＩＮＴは長くなる。上述したように、添加インターバルＩＮＴが長くなると所定期間内における尿素水の総添加量が減少するようになる。
【００７８】
このようにアンモニア酸化触媒５１の温度が所定温度以上の高温状態になっていると判断されるときには、アンモニア酸化触媒５１の温度が同所定温度未満の状態になっていると判断されるときに比べて所定期間内における尿素水の総添加量は減少する。こうしてＮＯｘを発生させる原因の１つである、アンモニア由来の尿素水の添加量が減少することにより、ＳＣＲ触媒４１に吸着されたアンモニアの脱離量や、ＳＣＲ触媒４１をすり抜けるアンモニアの量が少なくなるため、アンモニア酸化触媒５１に達するアンモニアの量は減少するようになる。従って、高温化したアンモニア酸化触媒５１上でのアンモニアの酸化に起因したＮＯｘの発生を抑えることができる。
【００７９】
また、フィルタ３２の再生処理中も（Ｓ１００：ＹＥＳ）、ステップＳ２００〜ステップＳ２２０の処理が行われることにより、基本添加インターバルＩＮＴＢは補正されて添加インターバルＩＮＴは長くなる。従って、フィルタ３２の再生処理によってアンモニア酸化触媒５１の温度が所定温度以上の高温状態になっていると判断できる場合にも、尿素水の添加量が減少することにより、アンモニア酸化触媒５１に達するアンモニアの量は減少するようになる。そのため、フィルタ３２の再生処理によるアンモニア酸化触媒５１の高温化に起因したＮＯｘの発生が抑えられる。
【００８０】
また、ステップＳ２２０では、基本添加インターバルＩＮＴＢの補正を行うようにしている。そして、その補正のための第１インターバル補正量ＩＮＴＨ１は、第２排気温度ＴＨ２が高いときほど長くなるようにしている。従って、排気温度が高いときほど、つまりアンモニア酸化触媒５１上でのアンモニアの酸化反応が促進されてＮＯｘが発生しやすいときほど、間欠添加時の添加インターバルＩＮＴが長くされることにより、所定期間内における尿素水の添加回数は減少する。このようにして尿素水の添加回数が減少すると、所定期間内における尿素水の総添加量が減少するため、アンモニア酸化触媒５１に達するアンモニアの量は少なくなる。従って、排気温度が変化してもＮＯｘの発生は好適に抑えられる。
【００８１】
また、基本添加インターバルＩＮＴＢの補正を行うための第２インターバル補正量ＩＮＴＨ２は、ＳＣＲ触媒４１に吸着されたアンモニア量が多いときほど長くなるようにしている。従って、ＳＣＲ触媒４１に吸着されたアンモニア量が多いときほど、つまりＳＣＲ触媒４１から脱離するアンモニアの量も多くなるときほど、間欠添加時の添加インターバルＩＮＴが長くされることにより、所定期間内における尿素水の添加回数は減少する。このようにして尿素水の添加回数が減少すると、所定期間内における尿素水の総添加量が減少するため、アンモニア酸化触媒５１に達するアンモニアの量は少なくなる。従って、ＳＣＲ触媒４１に吸着されたアンモニア量が変化してもＮＯｘの発生は好適に抑えられる。
【００８２】
以上説明したように、本実施形態によれば、上記（１）及び（２）の効果に加えて、さらに以下の効果を得ることができる。
（５）添加量減量処理として、添加インターバルＩＮＴの補正を行うようにしている。そして、第２排気温度ＴＨ２が高いときほど、第１インターバル補正量ＩＮＴＨ１を長くすることにより、添加インターバルＩＮＴが長くなるようにしている。従って、排気温度が変化してもＮＯｘの発生を好適に抑えることができるようになる。
【００８３】
（６）アンモニア吸着量ＮＨＲが多いときほど、第２インターバル補正量ＩＮＴＨ２を長くすることにより、添加インターバルＩＮＴが長くなるようにしている。従って、ＳＣＲ触媒４１に吸着されたアンモニア量が変化してもＮＯｘの発生を好適に抑えることができるようになる。
【００８４】
なお、上記各実施形態は以下のように変更して実施することもできる。
・第１実施形態において、第１尿素補正量ＱＥＨ１の設定を省略したり、第２尿素補正量ＱＥＨ２の設定を省略したりしてもよい。
【００８５】
・第１実施形態では、フィルタ３２の再生処理中であるとき（Ｓ１００：ＹＥＳ）、あるいは第２排気温度ＴＨ２が判定温度α以上であるときには（Ｓ１１０：ＹＥＳ）、ステップＳ１２０以降の処理を行うようにした。この他、ステップＳ１００の判定処理を省略して、第２排気温度ＴＨ２が判定温度α以上であるときには（Ｓ１１０：ＹＥＳ）、ステップＳ１２０以降の処理を行うようにしてもよい。また、ステップＳ１１０の判定処理を省略して、フィルタ３２の再生処理中でないときには（Ｓ１００：ＮＯ）、添加量減量処理を一旦終了させるようにしてもよい。
【００８６】
・第２実施形態において、第１インターバル補正量ＩＮＴＨ１の設定を省略したり、第２インターバル補正量ＩＮＴＨ２の設定を省略したりしてもよい。
・第２実施形態では、フィルタ３２の再生処理中であるとき（Ｓ１００：ＹＥＳ）、あるいは第２排気温度ＴＨ２が判定温度α以上であるときには（Ｓ１１０：ＹＥＳ）、ステップＳ２００以降の処理を行うようにした。この他、ステップＳ１００の判定処理を省略して、第２排気温度ＴＨ２が判定温度α以上であるときには（Ｓ１１０：ＹＥＳ）、ステップＳ２００以降の処理を行うようにしてもよい。また、ステップＳ１１０の判定処理を省略して、フィルタ３２の再生処理中でないときには（Ｓ１００：ＮＯ）、添加量減量処理を一旦終了させるようにしてもよい。
【００８７】
・第１実施形態では、尿素水を間欠添加するようにしたが、尿素添加弁２３０の開弁状態を維持することにより、尿素水を間欠的ではなく、連続的に添加するようにしてもよい。
【００８８】
・第１実施形態では、添加量減量処理として、添加量の減量補正を行うようにした。この他、アンモニア酸化触媒５１の温度が上述した所定温度以上の高温状態になっている間は尿素水の添加を禁止するようにしてもよい。
【００８９】
図１０に、この変形例における添加量減量処理の手順についてその一例を示す。なお、図１０に示す本処理において、第１実施形態と同一の処理を行うステップについては、同じステップ番号を付している。
【００９０】
本処理が開始されるとまず、制御装置８０は、現在、フィルタ３２の再生処理中であるか否かを判定する（Ｓ１００）。
そして、再生処理中でないときには（Ｓ１００：ＮＯ）、制御装置８０は、第２排気温度ＴＨ２が判定温度α以上であるか否かを判定する（Ｓ１１０）。この変形例でも、第２排気温度ＴＨ２は、アンモニア酸化触媒５１の温度の代用値として用いているが、他の部位の温度を代用値としてもよい。例えばフィルタ３２の温度を検出、あるいは推定している場合には、フィルタ３２の温度をアンモニア酸化触媒５１の温度の代用値としてもよい。また、アンモニア酸化触媒５１の温度をセンサ等で直接検出してもよい。そして判定温度αは、アンモニア酸化触媒５１上でＮＯｘが発生するおそれがあるか否かを判定するための値であって、第２排気温度ＴＨ２が判定温度α以上のときには、アンモニア酸化触媒５１の温度が所定温度以上の高温状態になっており、アンモニア酸化触媒５１上でＮＯｘが発生するおそれがあると判定される。
【００９１】
そして、第２排気温度ＴＨ２が判定温度α未満であるときには（Ｓ１１０：ＮＯ）、制御装置８０は、尿素添加を許可して（Ｓ３１０）、本処理を一旦終了する。
一方、フィルタ３２の再生処理中であるとき（Ｓ１００：ＹＥＳ）、あるいは第２排気温度ＴＨ２が判定温度α以上であるときには（Ｓ１１０：ＹＥＳ）、アンモニア酸化触媒５１が所定温度以上の高温状態になっており、アンモニア酸化触媒５１でＮＯｘが発生するおそれがあると判断される。そして、制御装置８０は、尿素添加を禁止して（Ｓ３００）、本処理を一旦終了する。
【００９２】
この変形例では、アンモニア酸化触媒５１の温度が所定温度以上の高温状態であって、アンモニア酸化触媒５１上でＮＯｘが発生するおそれがある間は、尿素水の添加が禁止される。こうした尿素の添加禁止によって、アンモニア酸化触媒５１に達するアンモニアの量は十分に減少するようになる。従って、高温化したアンモニア酸化触媒５１上でのアンモニアの酸化に起因したＮＯｘの発生をより適切に抑えることができる。
【００９３】
・第１実施形態では、添加量減量処理として、添加量の減量補正を行うようにした。この他、添加量減量処理として、尿素水の添加期間中に尿素水の添加を禁止する禁止期間を設けるようにしてもよい。
【００９４】
図１１に、この変形例における尿素水の添加態様を示す。図１１に示すように、尿素水の添加要求があり、この要求に基づいて尿素水が添加されている期間中において、フィルタ３２の再生処理中であるとき、あるいは第２排気温度ＴＨ２が判定温度α以上であるときには、尿素水の添加を禁止する禁止期間ＰＰを設定する。そして尿素水の添加要求に基づき尿素水を添加する期間中であっても、この禁止期間ＰＰ中は尿素水の添加を禁止する。なお、こうした禁止期間ＰＰを複数設定してもよい。また、排気温度が高いときほど、禁止期間ＰＰを長くしたり、アンモニア吸着量ＮＨＲが多いときほど、禁止期間ＰＰを長くしたりしてもよい。
【００９５】
こうした変形例によれば、禁止期間ＰＰが設けられない場合と比較して、添加期間中における尿素水の総添加量は減少するようになり、アンモニア酸化触媒５１に達するアンモニアの量は減少するようになる。従って、この変形例でも、高温化したアンモニア酸化触媒５１上でのアンモニアの酸化に起因したＮＯｘの発生を抑えることができる。
【００９６】
・還元剤として尿素水を使用するようにしたが、この他のアンモニア由来の還元剤を使用するようにしてもよい。
【符号の説明】
【００９７】
１…エンジン、２…シリンダヘッド、３…吸気通路、４ａ〜４ｄ…燃料噴射弁、５…燃料添加弁、６ａ〜６ｄ…排気ポート、７…インテークマニホールド、８…エキゾーストマニホール、９…コモンレール、１０…サプライポンプ、１１…ターボチャージャ、１３…ＥＧＲ通路、１４…ＥＧＲクーラ、１５…ＥＧＲ弁、１６…吸気絞り弁、１７…アクチュエータ、１８…インタークーラ、１９…エアフロメータ、２０…絞り弁開度センサ、２１…機関回転速度センサ、２２…アクセルセンサ、２３…外気温センサ、２４…車速センサ、２５…イグニッションスイッチ、２６…排気通路、２７…燃料供給管、３０…第１浄化部材、３１…酸化触媒、３２…フィルタ、４０…第２浄化部材、４１…選択還元型ＮＯｘ触媒（ＳＣＲ触媒）、５０…第３浄化部材、５１…アンモニア酸化触媒、６０…分散板、８０…制御装置、１００…第１排気温度センサ、１１０…差圧センサ、１２０…第２排気温度センサ、１３０…第１ＮＯｘセンサ、１４０…第２ＮＯｘセンサ、２００…尿素水供給機構、２１０…タンク、２２０…ポンプ、２３０…尿素添加弁、２４０…供給通路。
【図１】
2015071994.tif 000003
【図２】
2015071994.tif 000004
【図３】
2015071994.tif 000005
【図４】
2015071994.tif 000006
【図５】
2015071994.tif 000007
【図６】
2015071994.tif 000008
【図７】
2015071994.tif 000009
【図８】
2015071994.tif 000010
【図９】
2015071994.tif 000011
【図１０】
2015071994.tif 000012
【図１１】
2015071994.tif 000013